(57)【要約】      （修正有）【課題】洗濯過程中の環境汚染の程度を効果的に引き下げるかという技術的問題を解決するために、セラミック製洗濯用軽石を提供する。【解決手段】セラミック製洗濯用軽石は、円形、円柱形、楕円形、角柱形、多角形、不規則な立体形などの形状を含み、また、マグネシア粘土、カオリン、長石、石灰石、ドロマイト及び陶土の混合物を高温加熱により形成された、不規則な多孔性の粒状物である。その粒径は10-60mm、孔径は0.01mm-3mmである。従来の技術と比べて、軽く、多孔且つ孔が小さく、耐摩耗性が強いセラミック製品の軽石を提供する。洗濯加工の過程においてこれを使用する場合、むらがなく磨き上げられるので、織物、衣類、生地の業務用洗濯加工工程の質を向上させ、且つ砂や小石が織物、衣類、生地を汚染することも避けることができる。【選択図】図３
0003138421.tif 000002
【実用新案登録請求の範囲】
【請求項１】
円形、円柱形、楕円形、角柱形、多角形、不規則な立体形などの形状を含むセラミック製洗濯用軽石において、さらに角形の形状も有して、マグネシア粘土、カオリン、長石、石灰石、ドロマイト及び陶土の混合物を高温加熱で形成した、不規則な多孔を有する粒状物をなし、粒径が10-60mm、孔径が0.01-3mmであることを特徴とするセラミック製洗濯用軽石。
【請求項２】
請求項１記載のセラミック製洗濯用軽石において、前記マグネシア粘土は、白色、灰色又はクリーム色などのマグネシア粘土であることを特徴とするセラミック製洗濯用軽石。
【請求項３】
請求項２記載のセラミック製洗濯用軽石において、セラミック製洗濯用軽石の比重は0.3-1.5g/cm3であることを特徴とするセラミック製洗濯用軽石。
【請求項４】
請求項３記載のセラミック製洗濯用軽石において、セラミック製洗濯用軽石の各粒状物の重さは２-30gであることを特徴とするセラミック製洗濯用軽石。
【請求項５】
請求項４記載のセラミック製洗濯用軽石において、セラミック製洗濯用軽石の色は、白色、薄い灰色、クリーム色、灰色、とび色、コーヒー色、褐色、又は複数色であることを特徴とするセラミック製洗濯用軽石。
【考案の詳細な説明】
【技術領域】
【０００１】
本考案は、セラミック製品に関し、特に業務用洗濯機における織物、ジーンズ類の衣類、生地などの洗濯加工に用いるセラミック製洗濯用軽石に関する。
【従来の技術】
【０００２】
近年、環境保護の問題は世界の各国において、ますます重要視されてきた。産業の汚染は多種多様である。例えば、人々の常用してきたジーンズ類の衣類は元々重いものであるが、20世紀90年代以来、消費者は生地の柔らかさ、着心地がよいこと、および保存しやすさについて、より高い要求をしている。この期待に応じて、織物、衣類、生地などに対する様々な洗濯処理方法が出現した。
【０００３】
いわゆる「洗濯加工」の工程とは、完成縫製品を業務用洗濯機の中に入れ、また洗濯用水中に一定量の洗濯軽石を入れ、媒質及び化学薬剤を利用し物理的衝撃を加え、又は化学反応を生じさせることによって、洗濯加工後の織物、衣類、生地などに、使い古し感、破れ、退色、けば立ち、柔軟化などの効果を与える工程を指す。織物、衣類、生地に対する従来の洗濯処理の工程は、大量な天然の軽石が必要とされる。天然の軽石は、火山の噴火後噴火口に残った、燃焼後の、自然条件の下で形成された石であって、いわゆる「火山軽石」である。これらの「火山軽石」は、資源が有限で、且つ形状、比重が様々で、強度が低い。「火山軽石」を使用して洗濯する場合、たくさんの砂や小石が残る。また、これらの汚れをきれいに取り除くため、衣類、生地に対して何回もすすぎ洗いすることが必要で、大量の水資源が無駄になり、汚水処理のコストも増加する。
【考案の内容】
【０００４】
本考案は、洗濯過程中の環境汚染の問題を解決し、汚水処理の費用を低くして、すすぎ洗いの工程を減少し、洗濯作業の効率を上昇させるという目的を実現するため、セラミック製軽石を提供する。
【０００５】
本考案は、セラミック製洗濯用軽石であって、円形、円柱形、楕円形、角柱形、多角形、不規則な立体形などの形状を含み、また、角形の形状も有して、マグネシア粘土、カオリン、長石、石灰石、ドロマイト及び陶土の混合物を高温加熱で形成された、不規則な多孔性の粒状物であって、粒径が10-60mm、孔径が0.01-3mmである軽石を与える。
【０００６】
本考案のマグネシア粘土は、白色、灰色又はクリーム色などのマグネシア粘土である。
【０００７】
本考案の洗濯用軽石の比重は0.3-1.5g/cm3である。
【０００８】
また、本考案の軽石の重さはそれぞれ２-30gの範囲内である。
【０００９】
従来技術と比べて、本考案は、軽く、多孔で且つ孔が小さく、耐摩耗性が強く、環境保護に良いセラミック製軽石を提供する。その形状及び比重はコントロールすることができ、洗濯加工の過程においてそれを使用する場合、むらがなく磨き上げられるため、織物、衣類及び生地の洗濯加工工程の質を向上させることができる。また、本考案のセラミック製軽石を使用することによって、水の使用量と生化学プール清浄の汚水処理費用を大幅に節約し、生産効率も引き上げるので、環境保護と生産コストの引き下げなどの目的を実現することができる。本考案のセラミック製軽石は、完全に天然の軽石に代替することができる。
【具体的な実施例】
【００１０】
以下、図面を参照しながら、実施例を述べ、本考案についてさらなる説明を行う。
【００１１】
図１、図2、図3に示すように、本考案のセラミック製軽石は、円形、円柱形、楕円形、角形、多角形などの立体形の粒状物でもよいし、ほかの不規則な立体形でもよい。また、本考案のセラミック製軽石は、白色、灰色又はクリーム色のマグネシア粘土、カオリン、長石、石灰石、ドロマイト及び陶土の混合物を、1100-1300℃間の高温の下で焼いて、自然発泡を経て不規則な多孔を形成させた粒状物である。その粒径は10-60mm、孔径は0.01-3mmである。そのほか、本考案のセラミック製洗濯用軽石の色は、白色、薄い灰色、クリーム色、灰色、とび色、コーヒー色、褐色、又は複数色で、その比重は、0.3-1.5g/cm3、各軽石粒状物の重さは2-30gである。
【００１２】
本考案のセラミック製洗濯用軽石の主な化学成分及びその重量比は、以下の通りである。即ち、二酸化珪素SiO2 45％-75%、酸化アルミニウムAl2O3 12％−26％、酸化カルシウム＋酸化マグネシウムCaO+MgO ２％-18％、酸化第二鉄Fe2O3 0−8％、酸化リチウム＋酸化カリウム＋酸化ナトリウムLi2O+K2O+Na2O 1-８％で、これらの成分と他の成分の混合物で各種の立体形状を作り、その比重は0.3-1.5ｇ/cm3である。また、各軽石粒状物の重さは2-30gであり、使用の必要に応じてその重さを選択することができる。
【００１３】
本考案のセラミック製軽石は、軽く、多孔で、摩擦に強く、且つ環境保護に良いなどの特徴があって、天然の火山軽石と比べて、以下の優れた点がある。即ち、
１、織物、衣類、生地などの洗濯加工にそれを使用する場合、本考案のセラミック製軽石は、摩擦に強く、損耗も少ないので、使用寿命が長い。また、天然の火山軽石のように摩擦を経た後大量の砂や小石が生じることを避けることができて、砂や小石が水路を塞ぐことがなくなり、織物、衣類、生地などの洗濯加工の過程において、水路と汚水沈殿プールを頻繁に清浄化する必要がなくなり、清浄の仕事量を減少し、労力と物資を節約することができる。
【００１４】
２、織物、衣類、生地などの洗濯加工に本考案のセラミック製軽石を使用する場合、軽石の粉末が織物、衣類、生地などを汚染することがなくなる。また、水で数回もすすぎ洗いする必要がないので、洗濯の時間が短縮され、水の使用量を節約することができて、織物、衣類、生地に対する洗濯加工中の、生化学プール清浄化のための汚水処理の費用を大幅に減少し、洗濯加工によって環境に与える汚染の程度と環境保護ための水処理の費用も効率的に減少することができる。これに対して、天然の火山軽石を使用して洗濯する場合、多くの砂や小石が生じるので、洗濯加工中水路と汚水沈殿プールを頻繁に清浄化する必要がある。また、これらの天然の火山軽石の粉末が織物、衣類、生地などを汚染し、これらの汚れをきれいに取り除くため、衣類、生地を何回もすすぎ洗いする必要があるので、貴重な水資源が無駄になり、生化学プールの汚水処理の量を大幅に増加し、生産コストも増加する。
【００１５】
３、織物、衣類、生地などの洗濯加工に本考案のセラミック製軽石を使用する場合、その形状及び比重についてコントロールすることができ、また、むらがなく磨き上げられるため、その品質について保障できるし、織物、衣類、生地の洗濯加工工程の質を向上させることができる。これに対して、天然の火山軽石は、自然条件の下に形成されたもので、その資源に限度があり、且つその形状や比重について様々で、強度も低く、磨き上げの効果もコントロールしにくいので、その品質は充分でない。
【００１６】
４、織物、衣類、生地などの洗濯加工に本考案のセラミック製軽石を使用する場合、天然の火山軽石と比べて、その使用量は天然の火山軽石の使用量の八分の一に過ぎないので、生産コストを大幅に減少することができるし、且つ生産の効率を向上することができる。
【図面の簡単な説明】
【００１７】
【図１】図1は、本考案実施例の円柱形粒状物の概念図、
【図２】図２は、本考案実施例の多角形粒状物の概念図、
【図３】図３は、本考案実施例の角形粒状物の概念図である。
【図１】
0003138421.tif 000003
【図２】
0003138421.tif 000004
【図３】
0003138421.tif 000005
【手続補正書】
【提出日】平成19年6月21日(2007.6.21)
【手続補正１】
【補正対象書類名】実用新案登録請求の範囲
【補正対象項目名】全文
【補正方法】変更
【補正の内容】
【実用新案登録請求の範囲】
【請求項１】
円形、円柱形、楕円形、角柱形、多角形、その他の立体形状を有するセラミック製洗濯用軽石において、マグネシア粘土、カオリン、長石、石灰石、ドロマイト及び陶土の混合物を高温加熱で形成した、不規則な多孔を有する粒状物をなし、粒径が10-60mm、孔径が0.01-3mmであることを特徴とするセラミック製洗濯用軽石。
【請求項２】
請求項１記載のセラミック製洗濯用軽石において、前記マグネシア粘土は、白色、灰色又はクリーム色などのマグネシア粘土であることを特徴とするセラミック製洗濯用軽石。
【請求項３】
請求項２記載のセラミック製洗濯用軽石において、セラミック製洗濯用軽石の比重は0.3-1.5g/cm3であることを特徴とするセラミック製洗濯用軽石。
【請求項４】
請求項３記載のセラミック製洗濯用軽石において、セラミック製洗濯用軽石の各粒状物の重さは２-30gであることを特徴とするセラミック製洗濯用軽石。
【請求項５】
請求項４記載のセラミック製洗濯用軽石において、セラミック製洗濯用軽石の色は、白色、薄い灰色、クリーム色、灰色、とび色、コーヒー色、褐色、又は複数色であることを特徴とするセラミック製洗濯用軽石。
【手続補正２】
【補正対象書類名】明細書
【補正対象項目名】０００５
【補正方法】変更
【補正の内容】
【０００５】
本考案は、セラミック製洗濯用軽石であって、円形、円柱形、楕円形、角柱形、多角形、その他の立体形状を有し、マグネシア粘土、カオリン、長石、石灰石、ドロマイト及び陶土の混合物を高温加熱で形成された、不規則な多孔性の粒状物であって、粒径が10-60mm、孔径が0.01-3mmである軽石を与える。
【手続補正３】
【補正対象書類名】明細書
【補正対象項目名】００１１
【補正方法】変更
【補正の内容】
【００１１】
図１、図2、図3に示すように、本考案のセラミック製軽石は、円形、円柱形、楕円形、角形、多角形などの立体形の粒状物でよい。また、本考案のセラミック製軽石は、白色、灰色又はクリーム色のマグネシア粘土、カオリン、長石、石灰石、ドロマイト及び陶土の混合物を、1100-1300℃間の高温の下で焼いて、自然発泡を経て不規則な多孔を形成させた粒状物である。その粒径は10-60mm、孔径は0.01-3mmである。そのほか、本考案のセラミック製洗濯用軽石の色は、白色、薄い灰色、クリーム色、灰色、とび色、コーヒー色、褐色、又は複数色で、その比重は、0.3-1.5g/cm3、各軽石粒状物の重さは2-30gである。
【手続補正書】
【提出日】平成19年10月18日(2007.10.18)
【手続補正１】
【補正対象書類名】手続補正書
【補正対象項目名】手続補正４
【補正方法】削除
【補正の内容】
【手続補正書】
【提出日】平成19年10月18日(2007.10.18)
【手続補正１】
【補正対象書類名】実用新案登録請求の範囲
【補正対象項目名】全文
【補正方法】変更
【補正の内容】
【実用新案登録請求の範囲】
【請求項１】
断面円形、断面楕円形、角柱形を有するセラミック製洗濯用軽石において、マグネシア粘土、カオリン、長石、石灰石、ドロマイト及び陶土の混合物を高温加熱で形成した、不規則な多孔を有する粒状物をなし，粒径が10-60mm、孔径が0.01-3mmであることを特徴とするセラミック製洗濯用軽石。
【請求項２】
請求項１記載のセラミック製洗濯用軽石において、前記マグネシア粘土は、白色、灰色又はクリーム色などのマグネシア粘土であることを特徴とするセラミック製洗濯用軽石。
【請求項３】
請求項２記載のセラミック製洗濯用軽石において、セラミック製洗濯用軽石の比重は0.3-1.5g/cm3であることを特徴とするセラミック製洗濯用軽石。
【請求項４】
請求項３記載のセラミック製洗濯用軽石において、セラミック製洗濯用軽石の各粒状物の重さは２-30gであることを特徴とするセラミック製洗濯用軽石。
【請求項５】
請求項４記載のセラミック製洗濯用軽石において、セラミック製洗濯用軽石の色は、白色、薄い灰色、クリーム色、灰色、とび色、コーヒー色、褐色、又は複数色であることを特徴とするセラミック製洗濯用軽石。
【手続補正２】
【補正対象書類名】明細書
【補正対象項目名】０００５
【補正方法】変更
【補正の内容】
【０００５】
本考案は、セラミック製洗濯用軽石であって、断面円形、断面楕円形、角柱形を有し、マグネシア粘土、カオリン、長石、石灰石、ドロマイト及び陶土の混合物を高温加熱で形成された、不規則な多孔性の粒状物であって、粒径が10-60mm、孔径が0.01-3mmである軽石を与える。
【手続補正３】
【補正対象書類名】明細書
【補正対象項目名】００１１
【補正方法】変更
【補正の内容】
【００１１】
図１、図2、図3に示すように、本考案のセラミック製軽石は、断面円形、断面楕円形、角柱形の粒状物でもよい。また、本考案のセラミック製軽石は、白色、灰色又はクリーム色のマグネシア粘土、カオリン、長石、石灰石、ドロマイト及び陶土の混合物を、1100-1300℃間の高温の下で焼いて、自然発泡を経て不規則な多孔を形成させた粒状物である。その粒径は10-60mm、孔径は0.01-3mmである。そのほか、本考案のセラミック製洗濯用軽石の色は、白色、薄い灰色、クリーム色、灰色、とび色、コーヒー色、褐色、又は複数色で、その比重は、0.3-1.5g/cm3、各軽石粒状物の重さは2-30gである。